(57)【要約】【課題】  額縁が不要であるため、構造が簡単であり、通常の加工精度で十分に加工でき、従来の採光扉に必ず必要とされたパッキンを必要とせず、組立作業性に優れ、採光扉表面からの額縁等の突出部がなく、透光性部材の突出も極めて少ないので、引き戸にも使用可能で、強度耐久性にも優れ、さらには、デザインの広がりと自由度が向上し、しかも、リフォ−ムやメンテナンスに際して、透光性部材を極めて簡単に新しく取り替えることが可能な採光扉を安価に提供することを課題とする。【解決手段】  基材の両面に化粧材が貼着された所定の巾、高さ、厚みからなるパネル本体の開口部に透光性部材を設けた採光扉であって、該透光性部材の側面に係止手段を設けるようにした。【選択図】        図３
2008175015.tif 000002
【特許請求の範囲】
【請求項１】
基材の両面に化粧材が設けられた所定の幅、高さ、厚みからなるパネル本体に開口部が設けられ、該開口部に透光性部材を設けた採光扉であって、前記開口部の側面と透光性部材の側面が接する箇所に係止手段が設けられていることを特徴とする採光扉。
【請求項２】
前記基材が密実構造又はフラッシュ構造からなる基材であり、前記係止手段が前記透光性部材及び開口部の側面に設けられた突部と該突部に係合する凹部であることを特徴とする請求項１に記載の採光扉。
【請求項３】
前記パネル本体の開口部が、パネル本体の端部周縁木口面から開口部長手方向をパネル本体の表裏面に平行にして前記パネル本体の厚み方向にのみ貫通して設けられ、パネル本体の端部周縁木口面と表面及び裏面の三方に開口しており、前記パネル本体の開口部の表面裏面の開口形状及び寸法が、前記透光性部材の平面視形状及び寸法に見合う形状及び寸法であり、前記端部周縁木口面の開口部の形状及び寸法が前記透光性部材の断面視形状及び寸法に見合う形状及び寸法であり、前記係止手段が、前記透光性部材の側面の長手方向に設けられた突条部又は凹条部と、これに係合する前記開口部の側面に設けられた突条部又は凹条部であり、透光性部材がパネル本体の端部周縁木口面の開口部からパネル本体の表裏面に平行に透光性部材及び開口部の長手方向に沿って着脱自在に嵌挿されて構成されていることを特徴とする請求項１又は請求項２のいずれかに記載の採光扉。
【請求項４】
前記基材が密実構造又はフラッシュ構造からなる基材であり、前記パネル本体の開口部が、パネル本体の表面から裏面に厚み方向にのみ貫通し、パネル本体の表面と裏面の二方にのみ開口して設けられ、前記パネル本体の開口部の表面裏面の開口形状及び寸法が、前記透光性部材の平面視形状及び寸法に見合う形状及び寸法であり、前記係止手段が、前記透光性部材の側面及び開口部の側面の少なくともいずれか一方に設けられた凹部又は凹条部であり、パネル本体の厚みと略等しい厚みを有する透光性部材が、前記パネル本体の表面又は裏面側からパネル本体の厚み方向に着脱自在に嵌挿されて構成されていることを特徴とする請求項１に記載の採光扉。
【請求項５】
前記透光性部材が半透明体であることを特徴とする請求項１〜４のいずれかに記載の採光扉。
【発明の詳細な説明】
【技術分野】
【０００１】
本発明は、住宅等の建築物に使用される開戸、引き戸等に用いられる採光タイプの扉に関する。
【背景技術】
【０００２】
従来、建築物に使用される採光タイプの開戸、引き戸等においては、採光部の構造として、図９に示すように、芯組材の表面裏面に化粧材５２が貼着されたパネル５３に開口部Ｋを設け、該開口部周縁に芯材Ｓを取り付け、縦方向と横方向の額縁Ｇをパネル５３の開口部周縁の芯材Ｓに、パネル５３の表面裏面の両面から取り付け、前記額縁Ｇで、パネル５３の表面裏面の両面から透光性部材Ｑを挟持するようにして取り付けた構造を有する採光扉５１が用いられてきた。
【０００３】
この構造の採光扉５１においては、額縁Ｇを開口部周縁の芯材Ｓに取り付ける際の作業が煩雑で作業性に劣り、また、額縁Ｇが採光扉５１の表面から突出するので、開戸としては使用することができるが、引き戸となると、開閉操作中において、額縁Ｇどうしが接触し易く、使いづらいものであった。
【０００４】
そこで、額縁を用いずに、表裏から接合した枠体を用いて、該枠体の内周面に設けられた溝に直にガラス板の端部を嵌合し挟持する窓枠構造が従来から開示されており、額縁の突出といった従来の問題点は解消する。しかしながら、枠体どうしを表裏から接合しただけであるので十分な強度保持が困難であり、枠体どうしの接合と、透光性部材の端部を枠体内周面の溝へ嵌合し挟持するといった煩雑な作業を要し、作業性の観点から見て困難な作業を伴い、強度耐久性に劣るのみならず、コスト的にも不利なものとなっていた。
【０００５】
そこで、この点を解決し、従来のような額縁を不要とし、面部と縁部を一平面となるように一体形成してなり、出っ張りの無い美観に優れた外観を有し、強度耐久性に優れた採光ドアを実現するために、採光ドアに開口部を設け、開口部内周面に芯材を配置し、さらに該芯材の内周縁に開口部内周面を形成する縁部を採光ドアの表裏から対向面どうしを当接させるようにして設け、面部と縁部の外面が一平面となるように一体形成し、前記縁部の対向面を当接して形成される縁部の内周面に透光性部材の厚みと略等しい嵌合溝を形成する切欠部を設け、透光性部材の外周縁を嵌合溝に嵌合した構成を有する採光ドアの記載がある。（例えば、特許文献１参照）。
【０００６】
【特許文献１】実用新案登録第２５２６５５２号公報（第１−４頁、第１−３図）
【発明の開示】
【発明が解決しようとする課題】
【０００７】
ところで、上記従来技術のなかで、額縁タイプにおいては、額縁を開口部周縁の芯材に取り付ける際の作業が煩雑で作業性に劣り、また、額縁が採光扉の表面から大きく突出するので、開戸としては使用することができるが、引き戸となると、開閉操作中において、額縁どうしが接触し易く、使いづらいものであった。
【０００８】
また、額縁を用いずに枠体を用い、該枠体内周面に設けられた溝に直にガラス板等の透光性部材の端部を嵌合挟持する構造においては、枠体の突出といった従来の問題点は解消するが、枠体どうしを表裏から接合しただけであるので十分な強度保持が困難で、しかも、枠体どうしの接合と透光性部材の端部を枠体内周面に設けられた溝へ嵌合挟持する構造ゆえ、作業が煩雑で作業性に劣り、強度耐久性に劣るのみならず、コスト的にも不利なものとなっていた。さらに、開口部内周面に化粧を施さないと、開口部内周面の下地芯材が外部から見えるので、化粧が必要となり、作業性、コスト、美感上に問題があった。
【０００９】
また、上記実用新案登録第２５２６５５２号公報に開示されている従来技術にあっては、前記面部と縁部の外面が一平面となるように一体形成し、前記縁部の対向面を当接して形成される縁部の内周面に透光性部材の厚みと略等しい厚みの嵌合溝を形成する切欠部を設け、透光性部材の外周縁端部を嵌合溝に嵌合させる構成であるため、構造が複雑で、組立作業が煩雑で、作業性に劣り、コスト的にも不利なものとなっていた。
【００１０】
また、上記従来技術による採光タイプの扉においては、いずれも、その採光のための開口部がパネル本体の端部周縁木口面にまで開口しておらず、扉の端部周縁木口面にまで採光部を有する構造のものがなく、採光扉のデザイン、意匠性にとって限定されたものであり、採光扉の採光部を扉の端部周縁木口面の位置にまでもってくることによるデザインの広がりと自由度の向上、さらには、そのことによる意匠性の向上という観点では従来の採光扉には限界があった。
【００１１】
しかも、上記いずれの従来技術においても、部屋のリフォ−ムに際して、採光扉の透光性部材の色柄等を変更してデザインも新しくしたいユ−ザ−にとっては、透光性部材のみを取り替えることが極めて困難であり、また別途採光扉そのものを新しく取り替える必要があった。また、前記透光性部材が破損したり、古くなって新しくリニュ−アルしたいユ−ザ−にとっても同様の問題点があった。
【００１２】
本発明は、上述した事情に鑑みてなされたもので、本発明の目的は、額縁が不要であるため、構造が簡単であり、通常の加工精度で十分に加工でき、従来の採光扉に必ず必要とされたパッキンを必要とせず、組立作業性に優れ、採光扉表面からの額縁等の突出部がなく、透光性部材の突出も極めて少ないので、引き戸にも使用可能で、強度耐久性にも優れ、さらには、デザインの広がりと自由度が向上し、しかも、リフォ−ムやメンテナンスに際して、透光性部材を極めて簡単に新しく取り替えることが可能な採光扉を安価に提供することを目的とする。
【課題を解決するための手段】
【００１３】
上記課題を解決するためになされた請求項１に記載の本発明の採光扉は、基材の両面に化粧材が設けられた所定の幅、高さ、厚みからなるパネル本体に開口部が設けられ、該開口部に透光性部材を設けた採光扉であって、前記開口部の側面と透光性部材の側面が接する箇所に係止手段が設けられていることを特徴としている。
【００１４】
このような構成を有する本発明によれば、透光性部材を取り付けるための額縁が不要となり、構造が簡単で、額縁を用いないので額縁等による出っ張りがなく、引き戸等にも使用できる。また、構造がシンプルなゆえ、強度耐久性にも優れた安価な採光扉が可能となる。
【００１５】
請求項２に記載の本発明の採光扉は、請求項１に記載の採光扉において、前記基材が密実構造又はフラッシュ構造からなる基材であり、前記係止手段が前記透光性部材及び開口部の側面に設けられた突部と該突部に係合する凹部であることを特徴としている。
【００１６】
このような構成を有する本発明によれば、透光性部材を取り付けるための額縁が不要となり、構造が簡単で、額縁を用いないので額縁等による出っ張りがなく、引き戸等にも使用できる。また、構造がシンプルなわりには強度耐久性に優れ安価な採光扉が可能となる。また、係止手段に係る構造も、前記透光性部材及び開口部の側面に設けられた突部と該突部に係合する凹部であるというように、構造がシンプルであるので、製造作業性にも優れ強度耐久性にも優れ、安価な採光扉が可能となる。
【００１７】
請求項３に記載の本発明の採光扉は、請求項１又は請求項２のいずれかに記載の採光扉において、前記パネル本体の開口部が、パネル本体の端部周縁木口面から開口部長手方向をパネル本体の表裏面に平行にして前記パネル本体の厚み方向にのみ貫通して設けられ、パネル本体の端部周縁木口面と表面及び裏面の三方に開口しており、前記パネル本体の開口部の表面裏面の開口形状及び寸法が、前記透光性部材の平面視形状及び寸法に見合う形状及び寸法であり、前記端部周縁木口面の開口部の形状及び寸法が前記透光性部材の断面視形状及び寸法に見合う形状及び寸法であり、前記係止手段が、前記透光性部材の側面の長手方向に設けられた突条部又は凹条部と、これに係合する前記開口部の側面に設けられた突条部又は凹条部であり、透光性部材がパネル本体の端部周縁木口面の開口部からパネル本体の表裏面に平行に透光性部材及び開口部の長手方向に沿って着脱自在に嵌挿されて構成されていることを特徴としている。
【００１８】
このような構成を有する本発明によれば、透光性部材をパネル本体の端部周縁木口面の開口部からパネル本体の表裏面に平行に透光性部材及び開口部の長手方向に沿って嵌挿するのみで透光性部材を取り付けできるので、採光扉の組立時の作業性に極めて優れたものとなる。また、このようにして嵌挿させるのみで取り付け取り外しできるので、リフォ−ムやメンテナンスに際して、透光性部材を極めて簡単に新しく取り替えることが可能となる。
【００１９】
請求項４に記載の本発明の採光扉は、請求項１に記載の採光扉において、前記基材が密実構造又はフラッシュ構造からなる基材であり、前記パネル本体の開口部が、パネル本体の表面から裏面に厚み方向にのみ貫通し、パネル本体の表面と裏面の二方にのみ開口して設けられ、前記パネル本体の開口部の表面裏面の開口形状及び寸法が、前記透光性部材の平面視形状及び寸法に見合う形状及び寸法であり、前記係止手段が、前記透光性部材の側面及び開口部の側面の少なくともいずれか一方に設けられた凹部又は凹条部であり、パネル本体の厚みと略等しい厚みを有する透光性部材が、前記パネル本体の表面又は裏面側からパネル本体の厚み方向に着脱自在に嵌挿されて構成されていることを特徴としている。
【００２０】
このような構成を有する本発明によれば、前記パネル本体の表面又は裏面側からパネル本体の厚みと略等しい厚みを有する透光性部材をパネル本体の厚み方向に嵌挿するのみで、透光性部材を取り付けできるので、採光扉の組立時の作業性に極めて優れたものとなる。また、このようにして嵌挿させるのみで取り付け取り外しできるので、リフォ−ムやメンテナンスに際して、透光性部材を極めて簡単に新しく取り替えることが可能となる。
【００２１】
請求項５に記載の本発明の採光扉は、請求項１〜４のいずれかに記載の採光扉において、前記透光性部材が半透明体であることを特徴としている。
【００２２】
このような構成を有する本発明によれば、前記透光性部材が半透明体であるので、開口部側面に化粧を施さなくても開口部側面の下地芯材が外部からは見えない。また、透光性部材の側面に接着手段を用いて透光性部材を固着させても、開口部側面の接着剤等が外部からは見えない。従って、開口部側面に特別な化粧を施す必要がなく、化粧が不要な分だけ作業性とコスト的にも優れ、さらに美観にも優れたものとなる。
【発明の効果】
【００２３】
請求項１に記載の発明によれば、透光性部材を取り付けるための額縁が不要となり、構造が簡単で、額縁を用いないので額縁等による出っ張りがなく、引き戸等にも使用できる。また、構造がシンプルなゆえ、強度耐久性にも優れた安価な採光扉が可能となる。
【００２４】
請求項２に記載の発明によれば、透光性部材を取り付けるための額縁が不要となり、構造が簡単で、額縁を用いないので額縁等による出っ張りがなく、引き戸等にも使用できる。また、構造がシンプルなわりには強度耐久性に優れ安価な採光扉が可能となる。また、係止手段に係る構造も、前記透光性部材及び開口部の側面に設けられた突部と該突部に係合する凹部であるというように、構造がシンプルであるので、製造作業性にも優れ強度耐久性にも優れ、安価な採光扉が可能となる。
【００２５】
請求項３に記載の発明によれば、透光性部材をパネル本体の端部周縁木口面の開口部からパネル本体の表裏面に平行に透光性部材及び開口部の長手方向に沿って嵌挿するのみで透光性部材を取り付けできるので、採光扉の組立時の作業性に極めて優れたものとなる。また、このようにして嵌挿させるのみで取り付け取り外しできるので、リフォ−ムやメンテナンスに際して、透光性部材を極めて簡単に新しく取り替えることが可能となる。
【００２６】
請求項４に記載の発明によれば、前記パネル本体の表面又は裏面側からパネル本体の厚みと略等しい厚みを有する透光性部材をパネル本体の厚み方向に嵌挿するのみで、透光性部材を取り付けできるので、採光扉の組立時の作業性に極めて優れたものとなる。また、このようにして嵌挿させるのみで取り付け取り外しできるので、リフォ−ムやメンテナンスに際して、透光性部材を極めて簡単に新しく取り替えることが可能となる。
【００２７】
請求項５に記載の発明によれば、前記透光性部材が半透明体であるので、開口部側面に化粧を施さなくても開口部側面の下地芯材が外部からは見えない。また、透光性部材の側面に接着手段を用いて透光性部材を固着させても、開口部側面の接着剤等が外部からは見えない。従って、開口部側面に特別な化粧を施す必要がなく、化粧が不要な分だけ作業性とコスト的にも優れ、さらに美観にも優れたものとなる。
【発明を実施するための最良の形態】
【００２８】
本発明の採光扉の実施形態の一例の詳細を図面に従って説明する。図１は本発明の採光扉の第一実施形態を示す正面図である。図２は図１におけるＡ−Ａ線断面図を示し、（イ）は基材が密実構造の基材である例を示す。（ロ）は基材が芯組材からなるフラッシュ構造の基材の例を示す。図３は第一実施形態における透光性部材４の取り付け方法を示し、（イ）は斜視図を示し、基材は密実構造又はフラッシュ構造の例である。（ロ）は基材が芯組材からなるフラッシュ構造の基材の例を示す一部切欠正面図である。図４は本発明の採光扉の第二実施形態を示す正面図である。図５は図４におけるＢ−Ｂ線断面図及びＣ−Ｃ線断面図で、（イ）は基材が密実構造の基材の例を示す。（ロ）は基材が芯組材からなるフラッシュ構造の基材の例を示す。図６は第二実施形態における透光性部材の取り付け方法を示し、（イ）はその斜視図を示し、（ロ）は透光性部材の箇所における縦断面図を示す。図７は本発明の透光性部材の詳細を示し、（イ）は第一実施形態の例を示す斜視図と横断面図である。（ロ）は第二実施形態の例を示す斜視図と縦断面図である。図８は本発明の透光性部材と採光扉のバリエーションの例を示す模式図である。（イ）は第一実施形態の透光性部材のバリエーションの例を示す横断面図である。（ロ）は第一実施形態の採光扉のバリエーションの例を示す正面図である。（ハ）は第二実施形態の透光性部材のバリエーションの例を示す斜視図である。（ニ）は第二実施形態の採光扉のバリエーションの例を示す正面図である。
【００２９】
本発明の採光扉１は、基材５の両面に表面化粧材３が設けられており、所定の幅、高さ、厚みからなるパネル本体２に開口部８が設けられ、該開口部８の側面８ａと透光性部材４の側面４ａとが接する箇所に係止手段９が設けられて構成されている。
【００３０】
また、本発明の採光扉１のパネル本体２を構成する基材５は、密実構造の芯材６ａ又はフラッシュ構造の芯材６ｂから構成されている。
【００３１】
また、前記係止手段９は、前記透光性部材４の側面４ａ及び開口部の側面８ａに設けられた突部Ｔと該突部Ｔに係合する凹部Ｕである。すなわち、透光性部材の側面４ａに突部Ｔを設け開口部側面８ａにこれと係合する凹部Ｕが設けられているか、又は、透光性部材の側面４ａに凹部Ｕを設け開口部側面８ａにこれと係合する突部Ｔが設けられているかのいずれかである。
【００３２】
また、係止手段９に係る構造をさらにシンプルなものとすることもできる。すなわち、透光性部材の側面４ａに凹部Ｕを設け開口部側面８ａには突部も凹部も設けない構造も可能である。また、逆に、開口部側面８ａに凹部Ｕを設け透光性部材の側面４ａには突部も凹部も設けない構造も可能である。以下さらに詳細に述べる。
【００３３】
先ず、図１〜図３において、本発明の採光扉１の第一実施形態の詳細を説明する。本発明の採光扉１の第一実施形態は、密実構造の芯材６ａを基材５とするか又はフラッシュ構造の芯材６ｂを組み合わせて芯組材７を構成して作製されたものを基材５とする。このようにして作製された基材５の表裏両面に表面化粧材３を貼着してパネル本体２が作製されている。該パネル本体２の所定の箇所に開口部８が設けられている。
【００３４】
図１に示すように、第一実施形態における開口部８は、本例では、前記パネル本体２の端部周縁木口面に開口し、該開口部長手方向をパネル本体２の表面２ａ、裏面２ｂに平行にして設けられている。すなわち、パネル本体２を正面から見て、パネル本体２の縦方向（高さ方向）又は横方向（幅方向）に細長い形状として設けられている。本例では縦方向（高さ方向）に細長い形状として設けられている。パネル本体２の厚み方向にのみ貫通して設けられ、パネル本体２の端部周縁木口面２ｃと表面２ａ及び裏面２ｂの三方に開口している。
【００３５】
また、パネル本体２の開口部８の表面裏面の開口形状及び寸法が前記透光性部材４の平面視形状及び寸法に見合う形状及び寸法とされている。すなわち、前記開口部８の正面視形状及び寸法は、透光性部材４の正面視形状、及び寸法と見合う形状、及び寸法となるように構成されている。
【００３６】
また、前記パネル本体２の端部周縁木口面２ｃにおける開口部８の開口形状及び寸法が前記透光性部材４の横断面形状及び寸法に見合う形状及び寸法とされている。
【００３７】
また、本発明の採光扉１の、前記係止手段９は、前記透光性部材４の側面４ａ及び開口部の側面８ａに設けられた突条部Ｔ１と該突条部Ｔ１に係合する凹条部Ｕ１である。すなわち、透光性部材の側面４ａに突条部Ｔ１を設け開口部側面８ａにこれと係合する凹条部Ｕ１が設けられているか、又は、透光性部材の側面４ａに凹条部Ｕ１を設け開口部側面８ａにこれと係合する突条部Ｔ１が設けられているかのいずれかである。それらが互いに係合し係止するように構成されている。
【００３８】
また、透光性部材４はパネル本体２の端部周縁木口面２ｃの開口部８からパネル本体２の表面２ａ、裏面２ｂに平行にして、透光性部材４と開口部８の長手方向に沿って着脱自在に嵌挿されて構成されている。
【００３９】
前記開口部８は本例においては、図１に一例を示すように、パネル本体２の下方の端部周縁木口面２ｃからパネル本体２の上方へ向けて、正面視、細長い形状で先端が半円形状の開口部８が設けられている。該開口部８はパネル本体２の厚み方向に貫通して設けられており、前記先端部の半円形形状の箇所はパネル本体２の高さ方向（長手方向）を貫通していない。また、前記先端部の形状は本例に示す半円形形状に限定されるものでなく、半円形以外に、例えば、半楕円形形状、角形形状、先端の尖った三角形状、その他の形状であっても良いものとする。
【００４０】
図２において、図１のＡ−Ａ線断面図を示す。密実構造の芯材６ａ又はフラッシュ構造の芯材６ｂの表裏面の両面に表面化粧材３が貼着されてパネル本体２が構成され、透光性部材４の横断面における断面形状、断面寸法に見合う断面形状と断面寸法を有する開口部８に前記透光性部材４が設けられている。また、特にフラッシュ構造からなるパネル本体２の場合は、フラッシュ構造の芯材６ｂの設けられている箇所に前記開口部８を設けるようにすることが必要である。
【００４１】
図３において、第一実施形態の透光性部材４の取付方法を示す。図３の（イ）は基材５が密実構造又はフラッシュ構造の場合の斜視図を示す。図３の（ロ）は基材５が芯組材からなるフラッシュ構造の場合を示すが、密実構造の基材であっても基本は同様である。第一実施形態における透光性部材の取り付けは、本例では、開口部８は、パネル本体２の下方の端部周縁木口面２ｃとパネル本体表面２ａと裏面２ｂの三方に開口しており、端部周縁木口面２ｃに開口している箇所から透光性部材４を本例では上方へ向けて差し込むようにして嵌挿して透光性部材４をパネル本体２の開口部８に取り付ける。本例では、開口部の左右両側面８ａ及びこれと接する透光性部材の左右両方の側面４ａに係止手段９が設けられている。そして、透光性部材４が正面視縦方向に細長く先端が半円形形状を有しており、透光性部材４の左右両方の側面４ａに突条部Ｔ１が形成され、これと係合する凹条部Ｕ１が開口部の左右の側面８ａに形成されており、それらが互いに係合し、透光性部材４がパネル本体２の開口部８に係止される構成とされている。このようにして、前記係止手段９が構成されている。前記突条部Ｔ１は本例では左右に設けられた各一条の突条部Ｔ１である。
【００４２】
前記パネル本体２の木口面の開口部８は、本例に示すように、パネル本体２の下方の端部周縁木口面２ｃに限定されるものではなく、パネル本体２の四つの端部周縁木口面２ｃのいずれであってもよいものとする。本発明の透光性部材４の１個に対して開口部８は１箇所であり、透光性部材４の個数に相当する箇所の個数だけ開口部８が設けられている。従って、透光性部材４が複数個設けられる場合は開口部も複数箇所設けられる。開口部８が複数箇所である場合は、開口部が設けられる端部周縁木口面２ｃは、一面でも良いし、また、一面以外に二面、三面、四面であってもよいものとする。また、前記開口部８は一つの端部周縁木口面２ｃに対して１箇所以上あっても、勿論よいものとする。
【００４３】
そして、透光性部材４の横断面形状は、本例で示すものは、四角形の左右両辺に突起を設けた形状を有している。さらに、本例では、開口部８の左右両側面８ａに、透光性部材４の前記突部Ｔ（又は突条部Ｔ１）に見合う形状寸法を有する凹部Ｕ（又は凹条部Ｕ１）が設けられている。該凹部Ｕは本例では左右に設けられた各一条の凹条部Ｕ１である。
【００４４】
パネル本体２の下方の端部周縁木口面２ｃに開口している開口部８に透光性部材４を嵌挿させる時、前記透光性部材４の側面４ａに設けられた突条部Ｔ１が開口部側面８ａに設けられた凹条部Ｕ１に嵌合しながら嵌挿される仕組みとされている。
【００４５】
また、透光性部材４が古くなって新しいものに交換したり、また、部屋のリフォームの際、透光性部材４の色調を変えて扉デザインをリニューアルしたい時、透光性部材４を嵌挿させて取り付けた手順と逆の手順に従えば、簡単に取り替えることができる。本発明の透光性部材４は着脱自在であり、リフォ−ムやメンテナンスに際して、透光性部材４を極めて簡単に新しく取り替えることが可能となる。
【００４６】
透光性部材４の厚みはパネル本体２の厚みと略等しいか又は若干でもパネル本体２の厚みよりも厚くするとよい。パネル本体２の表面から約０．１〜０．５ｍｍ程度出ているほうが仕上がり性にとって好適である。透光性部材４がパネル本体２の厚みより薄いとパネル本体２に形成されている開口部８の側面８ａが外部に露出し、見た目の外観的に劣るものとなる。さらに、透光性部材４の前記パネル本体２の表面からの前記突出部の角部に図示しないが面取り加工等を施しておくと、手触りも良く、また、見た目の外観的にも優れたものとなる。
【００４７】
また、透光性部材４を開口部８に嵌挿させる際、透光性部材４を固着させるために接着剤を用いてもよい。この場合は前記したリフォーム時の透光性部材４のリニューアルはできない。しかし、透光性部材４の固定力の長期安定性はさらに向上する。使用する接着剤は透光性部材４と基材５の両方に接着性を有するものであればよく、一例として、透光性部材４がアクリル樹脂成型体からなり、基材５が木質基材である場合、前記接着剤として、例えば、ウレタン樹脂系接着剤を好適なものの一つとして例示できる。
【００４８】
また、前記透光性部材４が全くの透明体でなく半透明体であれば、開口部側面の芯材が外から見えにくく、外観が向上するばかりでなく、前記接着剤が外から目視されないので、目立つことがなく、見た目の外観的にもさらに向上したものとなる。
【００４９】
ここで、本発明の採光扉１に用いる各部材の材料について述べる。芯材６はラワン、ジョンコン、メランティー、などの南洋材の広葉樹材で合板等に用いられている材が比較的安価で入手し易い。表面化粧材３は、例えば、厚み約３ｍｍ〜９ｍｍ程度の合板や中比重繊維板の表面に、ナラ、ケヤキ、桧、チーク、紫檀、黒檀等の天然銘木を厚み約０．２〜３．０ｍｍ程度に薄くスライサー又はハーフロータリーレースで剥いて作製された突板や単板を接着剤を介して貼着して作製した化粧貼り合板や化粧貼りボード等が用いられる。または、前記銘木の突板や単板の代わりに、厚み約０．２ｍｍ程度の薄い塩ビ樹脂シート、オレフィン樹脂シートの表面に銘木の木目柄の印刷を施した樹脂化粧シートが用いられる。また、薄葉紙等の紙基材の表面に銘木の木目柄の印刷を施した木目化粧紙等が用いられる。
【００５０】
透光性部材４は透明又は半透明で着色又は無色のアクリル樹脂成型体、ポリカーボネート樹脂成型体、塩ビ樹脂成型体、ポリエステル樹脂成型体の他、板ガラス等が用いられる。
【００５１】
図４〜図６において、本発明の採光扉の第二実施形態の詳細を説明する。本発明の採光扉１の第二実施形態は、密実構造の芯材６ａを基材５とするか又はフラッシュ構造の芯材６ｂを組み合わせて芯組材７を構成して作製されたものを基材５とする。このようにして作製された基材５の表裏両面に表面化粧材３を貼着してパネル本体２が作製されている。該パネル本体２の所定の箇所に開口部８が設けられている。
【００５２】
図４に示すように、第二実施形態における開口部８は、本例では、図４に一例を示すように、前記パネル本体２の端部周縁木口面２ｃでなく、端部周縁木口面２ｃから所定の寸法だけ離れた位置でパネル本体２の表面から裏面に貫通して設けられている。本例では、パネル本体２の表面で正面視円形形状の開口部８がパネル本体２の縦方向（高さ方向）に３個、所定間隔をあけて設けられている。このように、本発明の第二実施形態の採光扉１は、開口部が二方向のみである。すなわち、パネル本体２の表面２ａと裏面２ｂの二方向のみである。すなわち、第二実施形態では、パネル本体２の端部周縁木口面２ｃには開口部は存在しない。
【００５３】
前記開口部８は、前記透光性部材４の平面視形状、寸法と見合う形状、寸法を有する開口部８である。また、透光性部材４の厚みはパネル本体２の厚みと略等しい厚みとされている。
【００５４】
図５において、図４のＢ−Ｂ線断面図及びＣ−Ｃ線断面図を示す。密実構造の芯材６ａ又はフラッシュ構造の芯材６ｂの表裏面両面に表面化粧材３が貼着されてパネル本体２が構成され、透光性部材４の平面視形状及び寸法に見合う形状及び寸法を有する開口部８がパネル本体２の表面２ａから裏面２ｂに貫通するように設けられている。このような開口部８に前記透光性部材４が設けられている。また、特にフラッシュ構造からなるパネル本体２の場合は、フラッシュ構造の芯材６ｂが設けられている箇所に前記開口部８を設けるようにすることが必要である。
【００５５】
また、第二実施形態における係止手段９は、前記透光性部材の側面４ａ及び開口部の側面８ａの少なくともいずれか一方に設けられた凹部Ｕ又は凹条部Ｕ１（本例では凹条部Ｕ１）である。そして、パネル本体２の厚みと略等しい厚みを有する透光性部材４が、前記パネル本体２の表面２ａ又は裏面２ｂ側から、パネル本体２の厚み方向に着脱自在に嵌挿されて構成されている。
【００５６】
図６において、第二実施形態の透光性部材４の取付方法を示す。基材５が密実構造であっても、また、フラッシュ構造であっても基本は同様である。第二実施形態における透光性部材４の取り付けは、本例では、開口部８は、前記パネル本体２の端部周縁木口面２ｃでなく、端部周縁木口面２ｃから所定の寸法だけ離れた位置で、パネル本体２の表面２ａから裏面２ｂに貫通して設けられている。本例では、パネル本体２の表面で正面視円形形状の開口部８がパネル本体２の縦方向（高さ方向）に３個、所定間隔をあけて設けられている。
【００５７】
前記開口部８は、本例に示すような正面視円形以外の形状であっても勿論良いものとする。円形、以外に楕円形、矩形、多角形、又はそれら以外の形状であってもよいものとする。また、前記開口部８の個数も本例に示すように３個に限定されるものではなく、１個以上であればよい。また、パネル本体２の表面における開口部８の位置は、前記パネル本体２の端部周縁木口面２ｃでなく、端部周縁木口面２ｃから所定の寸法だけ離れた位置であれば任意の位置で良いものとする。
【００５８】
第二実施形態における係止手段９は、透光性部材４の側面４ａ及び開口部８の側面８ａの少なくともいずれか一方に設けられた凹部Ｕ又は凹条部Ｕ１である。透光性部材４の側面４ａ及び開口部８の側面８ａの両方に凹部Ｕ又は凹条部Ｕ１を設ける構成か、又は、透光性部材４の側面４ａに凹部Ｕ又は凹条部Ｕ１を設け開口部８の側面８ａにはそれらを設けない構成か、又は、開口部８の側面８ａに凹部Ｕ又は凹条部Ｕ１を設け透光性部材４の側面４ａにはそれらを設けない構成か、のいずれかである。
【００５９】
パネル本体２の表面２ａ及び裏面２ｂに開口している開口部８から透光性部材４をパネル本体２の厚み方向へ向けて差し込むようにして嵌挿して透光性部材４をパネル本体２の開口部８に取り付ける。本例では、透光性部材４が正面視円形形状を有する円筒状体であり、該円筒状体の側面に凹部Ｕ（本例では凹条部Ｕ１）が設けられている。すなわち、本例では透光性部材４の側面４ａの円筒状体をぐるりと一周する凹状部Ｕ１である。本例では開口部８はパネル本体２の表面２ａ及び裏面２ｂに円形形状で開口し、表面２ａから裏面２ｂまで貫通しており、貫通する開口部８である。該開口部８の側面８ａには、本例では特に凹部Ｕや凹条部Ｕ１は設けられていない。
【００６０】
透光性部材４の側面４ａと開口部側面８ａの芯材６との間に働く摩擦力が適当な大きさで働くように開口部８の寸法を適宜に設定して、嵌入する際、ゆるすぎず、また、固すぎず丁度良い程度に設定すればよい。また、前記凹条部Ｕ１に接着剤を施しておくと透光性部材４の固定力の長期耐久性能が向上する。接着剤としては、アクリル樹脂系、ウレタン樹脂系等が好適に用いられる。しかし、接着剤を施すと、リフォーム時やリニューアル時に透光性部材４を取り外すことが困難になる。
【００６１】
すなわち、前記接着剤を使用しない場合は、透光性部材４が古くなって新しいものに交換したり、また、部屋のリフォームの際、透光性部材４の色調を変えて扉デザインをリニューアルしたい時、透光性部材４を嵌挿させて取り付けた手順と逆の手順に従えば、簡単に取り替えることができる。本発明の透光性部材４は、接着剤を使用しない場合、着脱自在であり、リフォ−ムやメンテナンスに際して、透光性部材４を極めて簡単に新しく取り替えることが可能となる。この点は第二実施形態の場合も第一実施形態の場合と同様である。
【００６２】
透光性部材４の厚みはパネル本体２の厚みと略等しいか又は若干でもパネル本体２の厚みよりも厚くするとよい。パネル本体２の表面から約０．１〜０．５ｍｍ程度出ているほうが仕上がり性にとって好適である。透光性部材４がパネル本体２の厚みより薄いとパネル本体２に形成されている開口部８の側面８ａが外部に露出し見た目の外観的に劣るものとなる。さらに、パネル本体２の表面２ａからの透光性部材４の突出部の角部に面取り加工等を施しておくと、手触りも良く、また、見た目の外観的にも優れたものとなる。
【００６３】
また、上記したように、透光性部材４を開口部８に嵌挿させる際、透光性部材４を固着させるために接着剤を用いる場合は、透光性部材４の側面４ａや開口部側面８ａに設けられた凹部Ｕや凹条部Ｕ１に接着剤を設けるとよい。
【００６４】
また、前記透光性部材４が全くの透明体でなく半透明体であれば、開口部側面８ａの芯材６が外部から見えにくくなる。さらに、前記接着剤も外部から目視しにくくなるので、目立つことがなく見た目の外観的にもさらに向上したものとなる。この点も第一実施形態と同様である。
【００６５】
また、第二実施形態における採光扉１に用いる各部材の材料も第一実施形態の場合と基本的に同様である。
【００６６】
図７において、本発明の透光性部材４の第一実施形態及び第二実施形態について詳述する。図７に第一実施形態及び第二実施形態における透光性部材４が例示されている。勿論これら以外の形状であっても良いものとする。パネル本体２に設ける開口部８は、第一実施形態では開口部８はパネル本体２の表面２ａ、裏面２ｂ、端部周縁木口面２ｃの三方に開口している。これに対して本発明の第二実施形態の場合はパネル本体２の表面２ａ、裏面２ｂの二方にのみ開口しており、端部周縁木口面２ｃには開口していない。
【００６７】
また、透光性部材４をパネル本体２に差し込む方向は第一実施形態ではパネル本体２の表面２ａ及び裏面２ｂと平行方向に差し込む。これに対して第二実施形態では、パネル本体２の表面２ａ、裏面２ｂと直交して差し込むことになる。
【００６８】
また、本発明の採光扉１に設けられる係止手段９は、第一実施形態では、透光性部材４の側面４ａの長手方向に突部Ｔ（又は突条部Ｔ１）を設け、開口部８の側面８ａの長手方向に、これと係合する凹部Ｕ（又は凹条部Ｕ１）が設けられている構成か、又は、透光性部材４の側面４ａの長手方向に凹部Ｕ（又は凹条部Ｕ１）を設け、開口部８の側面８ａの長手方向に、これと係合する突部Ｔ（又は突条部Ｔ１）が設けられている構成か、のいずれかである。それらの突部Ｔ（又は突条部Ｔ１）と凹部Ｕ（又は凹条部Ｕ１）とは、それらが互いに係合し合う形状、寸法とされている。そして、透光性部材４を開口部８の箇所に係止するように構成されている。このようにして、透光性部材４をパネル本体２の端部周縁木口面２ｃにある開口部から、パネル本体２に差し込まれる際に、それらが互いに係合し係止するように構成されている。
【００６９】
また、第二実施形態における係止手段９は、透光性部材４の側面４ａ及び開口部８の側面８ａの少なくともいずれか一方に設けられた凹部Ｕ又は凹条部Ｕ１である。透光性部材４の側面４ａ及び開口部８の側面８ａの両方に凹部Ｕ又は凹条部Ｕ１を設ける構成か、又は、透光性部材４の側面４ａに凹部Ｕ又は凹条部Ｕ１を設け開口部８の側面８ａにはそれらを設けない構成か、又は、開口部８の側面８ａに凹部Ｕ又は凹条部Ｕ１を設け透光性部材４の側面４ａにはそれらを設けない構成か、のいずれかである。そして、パネル本体２の厚みと略等しい厚みを有する透光性部材４が、前記パネル本体２の表面２ａ又は裏面２ｂ側から、パネル本体２の厚み方向に着脱自在に嵌挿されて構成されている。
【００７０】
すなわち、第二実施形態では、透光性部材４の側面４ａや開口部８の側面８ａには、突部Ｔ（又は突条部Ｔ１）は設けられず、凹部Ｕ（又は凹条部Ｕ１）が設けられる。
【００７１】
第一実施形態における透光性部材４の側面４ａと開口部８の側面８ａとの固定は、両方の部材の接する面における摩擦力であり、これを適宜な大きさに設定（透光性部材４の断面寸法と開口部８の断面寸法を適当な大きさに設定し、両部材の接触による摩擦力を適当な大きさに設定し、透光性部材４の取り付け時の固さ具合を適当な固さに設定）することで、透光性部材４の保持固定とリニューアル時の取り替え作業性の向上が可能になる。リニューアルの必要性が全くない場合は接着剤を突部Ｔ（又は突条部Ｔ１）や凹部Ｕ（又は凹条部Ｕ１）に設け、透光性部材４を固着すればよい。
【００７２】
また、第一実施形態では、透光性部材４の側面４ａに突部Ｔ（又は突条部Ｔ１）又は凹部Ｕ（又は凹条部Ｕ１）が設けられている。本例に示すように、透光性部材４の側面４ａに突条部Ｔ１を設け、開口部８の側面８ａに凹条部Ｕ１を設けてもよい。また、本例に示す透光性部材４の形状、寸法等は一例であって、その他の形状、寸法であっても勿論よいものとする。
【００７３】
第一実施形態の場合は透光性部材４の側面４ａに突部Ｔ（又は突条部Ｔ１）または凹部Ｕ（又は凹条部Ｕ１）を設け、一方、開口部８の側面８ａにそれらと嵌合する凹部Ｕ（又は凹条部Ｕ１）または突部Ｔ（又は突条部Ｔ１）を設け、それらを互いに嵌合させつつ、パネル本体２の端部周縁木口面２ｃの開口部から透光性部材４を差し込みながら嵌挿する仕組みを基本とする。
【００７４】
しかし、第一実施形態の場合、透光性部材４の側面４ａに突部Ｔ（又は突条部Ｔ１）ではなく、凹部Ｕ（又は凹条部Ｕ１）を設けた場合は、開口部８の側面８ａに突部Ｔ（又は突条部Ｔ１）や凹部Ｕ（又は凹条部Ｕ１）を設けずに、パネル本体２の端部周縁木口面２ｃ又はパネル本体２の表面２ａ、裏面２ｂ側から透光性部材４を嵌挿させる方式をとることも可能である。
【００７５】
また、逆に、開口部８の側面８ａに突部Ｔ（又は突条部Ｔ１）ではなく、凹部Ｕ（又は凹条部Ｕ１）を設けた場合は、透光性部材４の側面４ａに突部Ｔ（又は突条部Ｔ１）や凹部Ｕ（又は凹条部Ｕ１）を設けずに、パネル本体２の端部周縁木口面２ｃ又はパネル本体２の表面２ａ、裏面２ｂ側から透光性部材４を嵌挿させる方式をとることも可能である。
パネル本体２の表面２ａ、裏面２ｂ側から嵌挿させる場合は第二実施形態における取り付け方法と同様になる。
【００７６】
第一実施形態における、前記突部Ｔ（又は突条部Ｔ１）や凹部Ｕ（又は凹条部Ｕ１）の数は１個でもよいし、また、複数個であっても、勿論よいものとする。第二実施形態における凹部Ｕ（又は凹条部Ｕ１）の数は１個でもよいし、また、複数個であっても、勿論よいものとする。
【００７７】
図８において、本発明の透光性部材４と採光扉１のバリエーションの例を示す。（イ）は透光性部材４の断面形状の例を示し、（ロ）は採光扉１の正面視のパターンのバリエーションの例を示す。第一実施形態における突部Ｔ（又は突条部Ｔ１）の例も、（イ）の（ａ）（ｂ）に示すように一条の例、（ｃ）（ｄ）に示すように二条の例、又はそれ以上の複数条であっても、勿論よいものとする。また、（ｂ）（ｄ）に示すように突条部Ｔ１と凹条部Ｕ１を組み合わせてもよい。
【００７８】
また、（ロ）の採光扉１の正面視の透光性部材４の取り付けパターンのバリエーションの例は図示されているように、開口部８がパネル本体２の端部周縁木口面２ｃに開口しておればよい。透光性部材４が１個につき端部周縁木口面２ｃの開口部も１個である。パネル本体２の上下方向又は左右方向に突き抜けることはない。正面視のパターンも開口部が１個又は複数個あり、開口部８の方向も上下方向又は左右方向又はそれらの両方を組み合わせたパターンもある。また、図示しないが、斜め方向のパターンであってもよいものとする。また、図示されていない他のパターンであっても、勿論よいものとする。
【００７９】
本発明の第二実施形態の透光性部材４のバリエーションンの例を（ハ）に斜視図で示す。（ａ）〜（ｄ）に示すように円筒体の例を示す。係止手段９としての凹条部Ｕ１は（ａ）に示すように円筒体の側面の円周にそって設けられる一条の凹条部Ｕ１であってもよい。また、（ｂ）に示すように複数条の凹条部Ｕ１であってもよい。また、（ｃ）に示すように円筒体の円周方向でなく縦方向に設けた複数の凹条部Ｕ１であってもよい。また、（ｄ）に示すように、縦方向の凹条部Ｕ１を平面視９０度の角度間隔で４条設けたものであってもよいものとする。また、本例に示す平面視円形の円筒体以外の形状であっても、勿論よいものとする。平面視、四角形等の矩形、三角形、楕円形、半円形、その他の形状等であっても、よいものとする。
【００８０】
また、（ニ）に採光扉１の正面視の透光性部材４の取り付けパターンのバリエーションの例を図示する。このように、採光扉１の正面視の透光性部材４の取り付けパターンのバリエーションは、さまざま可能であり、図示されている以外のパターンであっても勿論よいものとする。
【図面の簡単な説明】
【００８１】
【図１】本発明の採光扉の第一実施形態を示す正面図。
【図２】図１におけるＡ−Ａ線断面図を示す。（イ）基材が密実構造の場合。（ロ）基材が芯組材からなるフラッシュ構造の場合。
【図３】第一実施形態の透光性部材の取付方法を示す。（イ）斜視図。（ロ）基材が芯組材からなるフラッシュ構造の場合の一部切欠正面図。
【図４】本発明の採光扉の第二実施形態を示す正面図。
【図５】図４における断面図を示す。（イ）基材が密実構造の場合。（ロ）基材が芯組材からなるフラッシュ構造の場合。
【図６】第二実施形態の透光性部材の取付方法を示す。（イ）斜視図。（ロ）断面図。
【図７】本発明の透光性部材の例を示す。（イ）第一実施形態の例を示す斜視図と横断面図。（ロ）第二実施形態の例を示す斜視図と縦断面図。
【図８】本発明の透光性部材と採光扉のバリエーションの例を示す模式図。（イ）第一実施形態の透光性部材のバリエーション。（ロ）第一実施形態の採光扉のバリエーション。（ハ）第二実施形態の透光性部材のバリエーション。（ニ）第二実施形態の採光扉のバリエーション。
【図９】従来の採光扉を示す断面図。
【符号の説明】
【００８２】
１      採光扉
２      パネル本体
２ａ    パネル本体の表面
２ｂ    パネル本体の裏面
２ｃ    パネル本体の端部周縁木口面
３      表面化粧材
４      透光性部材
４ａ    透光性部材の側面
５      基材
６      芯材
６ａ    密実構造の芯材
６ｂ    フラッシュ構造の芯材
７      芯組材
８      開口部
８ａ    開口部の側面
９      係止手段
Ｔ      突部
Ｔ１    突条部
Ｕ      凹部
Ｕ１    凹条部
５１    従来の採光扉
５２    表面化粧材
５３    パネル
Ｓ      芯材
Ｋ      開口部
Ｑ      透光性部材
Ｇ      額縁
【図１】
2008175015.tif 000003
【図２】
2008175015.tif 000004
【図３】
2008175015.tif 000005
【図４】
2008175015.tif 000006
【図５】
2008175015.tif 000007
【図６】
2008175015.tif 000008
【図７】
2008175015.tif 000009
【図８】
2008175015.tif 000010
【図９】
2008175015.tif 000011